(57)【要約】【課題】通話中に会話が途切れたり、欠落したり、急激に著しく歪んだりするのを防止することができ、十分に実用的なＩＰネットワークを介する音声通話を行うことができるＶｏＩＰ端末を提供することを目的とする。【解決手段】複数のノードが接続されたＩＰネットワーク６に接続され、ＩＰネットワークインタフェース部７を有し、任意のノードと音声データ２の通信を行うＶｏＩＰ端末であって、所定のデータ処理を経てＩＰネットワーク６より伝送された音声データ２を順次に蓄積すると共に伝送された音声データ２を音声として再生する音声再生部５に送出する受信バッファ３と、受信バッファ３から送出される音声データ２を検知する音声データ検知部８と、音声データ検知部８より指示され受信バッファ３に蓄積した音声データ２を複製する音声データ複製指示部９とを有する。【選択図】図１
2005151104.tif 000002
【特許請求の範囲】
【請求項１】
複数のノードが接続されたＩＰネットワークに接続され、ＩＰネットワークインタフェース部を有し、任意の前記ノードと音声データの通信を行うＶｏＩＰ端末であって、
所定のデータ処理を経て前記ＩＰネットワークより伝送された音声データを順次に蓄積すると共に前記伝送された音声データを音声として再生する音声再生部に送出する受信側バッファと、前記受信バッファから送出される音声データを検知する音声データ検知部と、前記音声データ検知部より指示され前記受信バッファに蓄積した音声データを複製する音声データ複製指示部とを有することを特徴とするＶｏＩＰ端末。
【請求項２】
前記音声データ複製指示部は、前記受信バッファから送出される音声データが欠落したと前記音声データ検知部から指示された場合には、前記欠落した音声データの直前の音声データあるいは前記欠落した音声データの２つもしくは３つ前の音声データを複製して補間することを特徴とする請求項１に記載のＶｏＩＰ端末。
【請求項３】
前記音声データ複製指示部は、前記受信バッファから送出される音声データが欠落したと前記音声データ検知部から指示された場合には、前記欠落した音声データの直後の音声データあるいは前記欠落した音声データの２つもしくは３つ後の音声データを複製して補間することを特徴とする請求項１に記載のＶｏＩＰ端末。
【請求項４】
前記音声データ複製指示部は、前記受信バッファから送出される音声データが欠落したと前記音声データ検知部から指示された場合には、前記欠落した音声データの前後の音声データを平均化した音声データを複製して補間することを特徴とする請求項１に記載のＶｏＩＰ端末。
【請求項５】
前記音声データ複製指示部は、前記受信バッファから送出される音声データが欠落したと前記音声データ検知部から指示された場合には、前記欠落した音声データの前半については前記欠落した音声データの直前あるいは前記欠落した音声データの２つもしくは３つ前の音声データを複製し、前記欠落した音声データの後半については前記欠落した音声データの直後あるいは前記欠落した音声データの２つもしくは３つ後の音声データを複製して補間することを特徴とする請求項１に記載のＶｏＩＰ端末。
【請求項６】
前記音声データ検知部より指示されたときにホワイトノイズを発生させるホワイトノイズ制御部を備え、前記ホワイトノイズ制御部は、前記受信バッファから送出される音声データが欠落したと前記音声データ検知部から指示された場合には、ホワイトノイズを発生させて補間することを特徴とする請求項１に記載のＶｏＩＰ端末。
【請求項７】
前記音声データ検知部より指示されたときの通話中に周辺雑音を測定しデジタル変換して記録する周辺雑音測定部を備え、前記周辺雑音測定部は、前記受信バッファから送出される音声データが欠落したと前記音声データ検知部から指示された場合には、前記記録した周辺雑音を読み出して補間することを特徴とする請求項１に記載のＶｏＩＰ端末。
【請求項８】
前記伝送された音声データが前記受信バッファから溢れそうになったら前記音声データ検知部より指示されて前記受信バッファ内の前記音声データ量を調整する受信バッファ制御部を備え、前記受信バッファ制御部は、前記伝送された音声データを想定された前記受信バッファの処理能力を超えないように圧縮することを特徴とする請求項１に記載のＶｏＩＰ端末。
【請求項９】
前記受信バッファ制御部は、前記伝送された音声データが前記受信バッファで溢れそうになったことを前記音声データ検知部より指示された場合には、自分宛のデータとして分か
るように自分宛用ヘッダ情報を付与して再度前記ＩＰネットワークに戻して一時的に前記ＩＰネットワーク上で保存させ、前記音声データ検知部が前記ＩＰネットワークインタフェース部内にある前記音声データにおいて前記自分宛用ヘッダ情報かを参照して、自分宛用と判定し、かつ前記受信バッファ内の前記音声データが溢れないと判定した場合、前記音声データ検知部が前記受信バッファ制御部を指示し、前記自分宛用ヘッダ情報を外して再度前記受信バッファに戻すことを特徴とする請求項８に記載のＶｏＩＰ端末。
【請求項１０】
前記受信バッファ制御部は、前記伝送された音声データが前記受信バッファで溢れそうになったことを前記音声データ検知部より指示された場合には前記受信バッファ内の前記伝送された音声データを一定間隔で抜き、前記抜いた音声データの直前の音声データあるいは前記抜いた音声データの２つもしくは３つ前の音声データを複製して補間することを特徴とする請求項８に記載のＶｏＩＰ端末。
【請求項１１】
前記受信バッファ制御部は、前記伝送された音声データが前記受信バッファで溢れそうになったことを前記音声データ検知部より指示された場合には前記受信バッファ内の前記伝送された音声データを一定間隔で抜き、前記抜いた音声データの直後の音声データあるいは前記抜いた音声データの２つもしくは３つ後の音声データを複製して補間することを特徴とする請求項８に記載のＶｏＩＰ端末。
【請求項１２】
前記受信バッファ制御部は、前記伝送された音声データが前記受信バッファで溢れそうになったことを前記音声データ検知部より指示された場合には前記受信バッファ内の前記伝送された音声データを一定間隔で抜き、前記抜いた音声データの前後の音声データで平均化した音声データを複製して補間することを特徴とする請求項８に記載のＶｏＩＰ端末。
【請求項１３】
前記受信バッファ制御部は、前記伝送された音声データが前記受信バッファで溢れそうになったことを前記音声データ検知部より指示された場合には前記受信バッファ内の前記伝送された音声データを一定間隔で抜き、前記抜いた音声データの前半については前記抜いた音声データの直前あるいは前記抜いた音声データの２つもしくは３つ前の音声データを複製し、前記抜いた音声データの後半については前記抜いた音声データの直後あるいは前記抜いた音声データの２つもしくは３つ後の音声データを複製して補間することを特徴とする請求項１に記載のＶｏＩＰ端末。
【請求項１４】
前記音声データ検知部より指示されたときにホワイトノイズを発生させるホワイトノイズ制御部を備え、前記受信バッファ制御部は、前記伝送された音声データが前記受信バッファで溢れそうになったことを前記音声データ検知部より指示された場合には前記受信バッファ内の前記伝送された音声データを一定間隔で抜き、前記抜いた音声データについては前記ホワイトノイズ制御部でホワイトノイズを発生させて補間することを特徴とする請求項８に記載のＶｏＩＰ端末。
【請求項１５】
前記音声データ検知部より指示されたときの通話中に周辺雑音を測定しデジタル変換して記録する周辺雑音測定部を備え、前記受信バッファ制御部は、前記伝送された音声データが前記受信バッファで溢れそうになったことを前記音声データ検知部より指示された場合には前記受信バッファ内の前記伝送された音声データを一定間隔で抜き、前記抜いた音声データについては前記周辺雑音測定部から周辺雑音を読み出して補間することを特徴とする請求項８に記載のＶｏＩＰ端末。
【請求項１６】
前記受信バッファの出口に音声データの送出量を制御する音声データ送出部を備え、前記受信バッファ制御部は、前記伝送された音声データが足りないか又は前記伝送された音声データが溢れそうになったことを前記音声データ検知部より指示された場合には、前記受信バッファ内の前記音声データを調整するために、前記音声データ送出部で音声データの
送出タイミングを調整することを特徴とする請求項８に記載のＶｏＩＰ端末。
【請求項１７】
絶対時間を計算する絶対時間管理部を備え、前記受信バッファ制御部は、前記伝送された音声データが足りないか又は前記伝送された音声データが溢れそうになったことを前記音声データ検知部より指示された場合には、前記受信バッファ内の前記音声データを調整するために、前記絶対時間管理部の絶対時間より前記伝送された音声データの前記音声データ送出部における送出タイミングを制御することを特徴とする請求項１６に記載のＶｏＩＰ端末。
【発明の詳細な説明】
【技術分野】
【０００１】
本発明は、複数のノードが接続されたＩＰネットワークに接続され、ＩＰネットワークインタフェース部を有し、任意のノードと音声データの通信を行うＶｏＩＰ端末に関するものである。
【背景技術】
【０００２】
図２２は従来のＩＰネットワークを示す構成図である。本明細書においていうＩＰネットワークとはインターネット網に代表される図２２に示すようなネットワークをいい、ネットワーク技術の主体としてのＩＰ（Ｉｎｔｅｒｎｅｔ  Ｐｒｏｔｏｃｏｌ）はパケット方式に革新されつつある。このパケット方式では、ひとまとまりの情報（ビット列）に送信先のアドレスなどを書いたヘッダを付けて送信し、パケット交換機がアドレスを見て適切なルートに送出する。パケットには１つ１つアドレスが書いているため、複数の通信パケットが１本の回線上に混在しても受信側の交換機で送信先別に振り分けることができ、回線を有効に使うことができる。
【０００３】
ＶｏＩＰはＶｏｉｃｅ  ｏｖｅｒ  ＩＰのことで、従来はインターネットでは画像や文書データの送受信が主であったが、近年はＩＰ電話機のようにＩＰネットワーク上で音声を乗せるようなシステムが出てきた。ＩＰネットワークにおけるトラフィックの増加は遅延やノイズの原因となり、音質が劣化する。そこで、受信側に揺らぎ吸収バッファを設けることが多い。揺らぎの吸収は、後述する図１に示すように、音声パケットをバケツのようなバッファ３に溜め、その底に設けた穴から一定速度で連続的にデータを取り出すことで、再生時の音の途切れを防止することができる。バッファは基板上のメモリーを用いてソフトで制御する。また、音声の再生はリアルタイム性が求められるが、音声データはネットワーク上の可変的な遅延要因により、早く着いたり遅く着いたり（遅延時間の揺らぎ）して、そのまま再生するとブツブツ音のような音途切れになる。そこでバッファに音声データを一旦溜めることで、遅延時間の変動があっても、溜まっている音声データが増減するだけで、取り出しは一定時間で出来るため、音途切れは少なくなり、音声データを溜めるバケツが深いほど大きな遅延変動を吸収できるが、反面バッファを溜めるための遅延が大きくなり、衛星などを用いた海外でリポートしている場合と同様で、人の口の開きと音声を比較すると音声が遅れて聞こえるようになり、リアルタイム性が損なわれ、使用者に違和感を与える。
【０００４】
従来のＶｏＩＰ端末（情報通信端末）は、ネットワークに送出されるデータ量を見ながら、送信バッファに蓄積されたデータ量をデータ量制御部が管理する方法で音途切れを防止している（例えば、（特許文献１）や（非特許文献１）を参照のこと）。データ量の管理方法としては次のような方法がある。
【０００５】
（１）送信バッファに想定している量よりも多くの音声データが蓄積された場合には、データ量制御部が量子化部（データを圧縮する）の量子化ステップを操作して、生成されるデータ量を少なくする。
【０００６】
（２）それでも送信バッファが満杯になった場合、音声合成部より通話が停止する旨の報知を行ない、送信バッファが満杯になった時点でデータの生成を停止する。
【０００７】
（３）送信バッファが空に近い場合は、送信バッファに蓄積するデータ量を少なくする必要が無いので、量子化ステップを細かくして、データを送信する。
【特許文献１】特開平１１−３０８３７３号公報
【非特許文献１】松田次博著「企業内データ・音声統合網の構築方法」日経ＢＰ社  ２０００年
【発明の開示】
【発明が解決しようとする課題】
【０００８】
上記（１）〜（３）については次のような問題点を有する。
【０００９】
（１）の量子化ステップを操作する方法は、例えばデータ内に圧縮率の異なるデータが混在しているとネットワーク上の伝送スピードが一定にならず、受信側で復調する際に手間がかかる。（２）の送信バッファが満杯になった場合、送信バッファからのデータ送信を止める方法では当然通話ができない。使用者からしてみれば、非常に使い勝手が悪い。（３）の量子化ステップを細かくし、データ量を増やし、送信バッファからの送信データ量を通常に近づける方法は、（１）と同様に、データ内に圧縮率の異なるデータが混在しているとＩＰネットワーク上の伝送スピードが一定にならず、受信側で復調する際に手間がかかる。ＩＰネットワーク上でインターネットのホームページのアクセス数が１次的に増加するなどの遅延要因を考慮してないため、通話中に会話が途切れたりする。
【００１０】
このＶｏＩＰ端末では、通話中に会話が途切れたり、欠落したり、急激に著しく歪んだりするのを防止することができ、十分に実用的なＩＰネットワークを介する音声通話を行うことができることが要求されている。
【００１１】
本発明は、この要求を満たすため、通話中に会話が途切れたり、欠落したり、急激に著しく歪んだりするのを防止することができ、十分に実用的なＩＰネットワークを介する音声通話を行うことができるＶｏＩＰ端末を提供することを目的とする。
【課題を解決するための手段】
【００１２】
上記課題を解決するために本発明のＶｏＩＰ端末は、複数のノードが接続されたＩＰネットワークに接続され、ＩＰネットワークインタフェース部を有し、任意のノードと音声データの通信を行うＶｏＩＰ端末であって、所定のデータ処理を経てＩＰネットワークより伝送された音声データを順次に蓄積すると共に伝送された音声データを音声として再生する音声再生部に送出する受信側バッファと、受信バッファから送出される音声データを検知する音声データ検知部と、音声データ検知部より指示され受信バッファに蓄積した音声データを複製する音声データ複製指示部とを有する構成を備えている。
【００１３】
これにより、通話中に会話が途切れたり、欠落したり、急激に著しく歪んだりするのを防止することができ、十分に実用的なＩＰネットワークを介する音声通話を行うことができるＶｏＩＰ端末が得られる。
【発明の効果】
【００１４】
本発明は、複数のノードが接続されたＩＰネットワークに接続され、ＩＰネットワークインタフェース部を有し、任意のノードと音声データの通信を行うＶｏＩＰ端末であって、所定のデータ処理を経てＩＰネットワークより伝送された音声データを順次に蓄積すると共に伝送された音声データを音声として再生する音声再生部に送出する受信側バッファと、受信バッファから送出される音声データを検知する音声データ検知部と、音声データ検知部より指示され受信バッファに蓄積した音声データを複製する音声データ複製指示部とを有することにより、ＩＰネットワークから伝送されてきた音声データの受信バッファから送出される音声データについて音声データ検知部で欠落音声データを検知することにより、例えば欠落音声データの直前の音声データあるいは欠落音声データの２つもしくは３つ前の音声データを音声データ複製指示部において複製して欠落音声データを補間することができるので、音声データを途切れることなく音声再生部に送出することで音の途切
れを防止することができ、通話中に会話が途切れたり、欠落したり、急激に著しく歪んだりするのを防止することができ、十分に実用的なＩＰネットワークを介する音声通話を行うことができるという有利な効果が得られる。
【００１５】
さらに、音声データ複製指示部は、受信バッファから送出される音声データが欠落したと音声データ検知部から指示された場合には、欠落した音声データの直前の音声データあるいは欠落した音声データの２つもしくは３つ前の音声データを複製して補間することにより、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００１６】
さらに、音声データ複製指示部は、受信バッファから送出される音声データが欠落したと音声データ検知部から指示された場合には、欠落した音声データの直後の音声データあるいは欠落した音声データの２つもしくは３つ後の音声データを複製して補間することにより、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００１７】
さらに、音声データ複製指示部は、受信バッファから送出される音声データが欠落したと音声データ検知部から指示された場合には、欠落した音声データの前後の音声データを平均化した音声データを複製して補間することにより、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００１８】
さらに、音声データ複製指示部は、受信バッファから送出される音声データが欠落したと音声データ検知部から指示された場合には、欠落した音声データの前半については欠落した音声データの直前あるいは欠落した音声データの２つもしくは３つ前の音声データを複製し、欠落した音声データの後半については欠落した音声データの直後あるいは欠落した音声データの２つもしくは３つ後の音声データを複製して補間することにより、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００１９】
さらに、音声データ検知部より指示されたときにホワイトノイズを発生させるホワイトノイズ制御部を備え、ホワイトノイズ制御部は、受信バッファから送出される音声データが欠落したと音声データ検知部から指示された場合には、ホワイトノイズを発生させて補間することにより、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００２０】
さらに、音声データ検知部より指示されたときの通話中に周辺雑音を測定しデジタル変換して記録する周辺雑音測定部を備え、周辺雑音測定部は、受信バッファから送出される音声データが欠落したと音声データ検知部から指示された場合には、記録した周辺雑音を読み出して補間することにより、音声データを途切れることなく音声再生部に送出することができるので、通話中に会話が途切れたり、欠落したり、急激に著しく歪んだりするのを防止することができ、十分に実用的なＩＰネットワークを介する音声通話を行うことが
できるという有利な効果が得られる。
【００２１】
さらに、伝送された音声データが受信バッファから溢れそうになったら音声データ検知部より指示されて受信バッファ内の音声データ量を調整する受信バッファ制御部を備え、受信バッファ制御部は、伝送された音声データを想定された受信バッファの処理能力を超えないように圧縮することにより、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００２２】
さらに、受信バッファ制御部は、伝送された音声データが受信バッファで溢れそうになったことを音声データ検知部より指示された場合には、自分宛のデータとして分かるように自分宛用ヘッダ情報を付与して再度ＩＰネットワークに戻して一時的にＩＰネットワーク上で保存させ、音声データ検知部がＩＰネットワークインタフェース部内にある音声データにおいて自分宛用ヘッダ情報かを参照して、自分宛用と判定し、かつ受信バッファ内の音声データが溢れないと判定した場合、音声データ検知部が受信バッファ制御部を指示し、自分宛用ヘッダ情報を外して再度受信バッファに戻すことにより、音声データが受信バッファで溢れることにより欠落することを防止することができるので、通話中に会話が途切れたり、欠落したり、急激に著しく歪んだりするのを防止することができ、十分に実用的なＩＰネットワークを介する音声通話を行うことができるという有利な効果が得られる。
【００２３】
さらに、受信バッファ制御部は、伝送された音声データが受信バッファで溢れそうになったことを音声データ検知部より指示された場合には受信バッファ内の伝送された音声データを一定間隔で抜き、抜いた音声データの直前の音声データあるいは抜いた音声データの２つもしくは３つ前の音声データを複製して補間することにより、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００２４】
さらに、受信バッファ制御部は、伝送された音声データが受信バッファで溢れそうになったことを音声データ検知部より指示された場合には受信バッファ内の伝送された音声データを一定間隔で抜き、抜いた音声データの直後の音声データあるいは抜いた音声データの２つもしくは３つ後の音声データを複製して補間することにより、受信バッファの溢れ防止のために音声データを一定間隔で抜いた場合にも、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００２５】
さらに、受信バッファ制御部は、伝送された音声データが受信バッファで溢れそうになったことを音声データ検知部より指示された場合には受信バッファ内の伝送された音声データを一定間隔で抜き、抜いた音声データの前後の音声データで平均化した音声データを複製して補間することにより、受信バッファの溢れ防止のために音声データを一定間隔で抜いた場合にも、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００２６】
さらに、受信バッファ制御部は、伝送された音声データが受信バッファで溢れそうになったことを音声データ検知部より指示された場合には受信バッファ内の伝送された音声デ
ータを一定間隔で抜き、抜いた音声データの前半については抜いた音声データの直前あるいは抜いた音声データの２つもしくは３つ前の音声データを複製し、抜いた音声データの後半については抜いた音声データの直後あるいは抜いた音声データの２つもしくは３つ後の音声データを複製して補間することにより、受信バッファの溢れ防止のために音声データを一定間隔で抜いた場合にも、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００２７】
さらに、音声データ検知部より指示されたときにホワイトノイズを発生させるホワイトノイズ制御部を備え、受信バッファ制御部は、伝送された音声データが受信バッファで溢れそうになったことを音声データ検知部より指示された場合には受信バッファ内の伝送された音声データを一定間隔で抜き、抜いた音声データについてはホワイトノイズ制御部でホワイトノイズを発生させて補間することにより、受信バッファの溢れ防止のために音声データを一定間隔で抜いた場合にも、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００２８】
さらに、音声データ検知部より指示されたときの通話中に周辺雑音を測定しデジタル変換して記録する周辺雑音測定部を備え、受信バッファ制御部は、伝送された音声データが受信バッファで溢れそうになったことを音声データ検知部より指示された場合には受信バッファ内の伝送された音声データを一定間隔で抜き、抜いた音声データについては周辺雑音測定部から周辺雑音を読み出して補間することにより、受信バッファの溢れ防止のために音声データを一定間隔で抜いた場合にも、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという有利な効果が得られる。
【００２９】
さらに、受信バッファの出口に音声データの送出量を制御する音声データ送出部を備え、受信バッファ制御部は、伝送された音声データが足りないか又は伝送された音声データが溢れそうになったことを音声データ検知部より指示された場合には、受信バッファ内の音声データを調整するために、音声データ送出部で音声データの送出タイミングを調整することにより、受信バッファにおける溢れを音声データ送出部における音声データ送出タイミングで調整して防止することができるという有利な効果が得られる。
【００３０】
さらに、絶対時間を計算する絶対時間管理部を備え、受信バッファ制御部は、伝送された音声データが足りないか又は伝送された音声データが溢れそうになったことを音声データ検知部より指示された場合には、受信バッファ内の音声データを調整するために、絶対時間管理部の絶対時間より伝送された音声データの音声データ送出部における送出タイミングを制御することにより、受信バッファにおける溢れを音声データ送出部における音声データ送出タイミングで調整して防止することができるという有利な効果が得られる。
【発明を実施するための最良の形態】
【００３１】
本発明は、通話中に会話が途切れたり、欠落したり、急激に著しく歪んだりするのを防止し、十分に実用的なＩＰネットワークを介する音声通話を行うという目的を、受信バッファの出口に配置された音声データ検知部で欠落した音声データを検知し、欠落音声データの直前の音声データあるいは欠落音声データの２つもしくは３つ前の音声データを複製して欠落音声データを補間し、音声データを途切れることなく送出することで音の途切れを防止することを実現した。
【００３２】
上記課題を解決するためになされた第１の発明は、複数のノードが接続されたＩＰネットワークに接続され、ＩＰネットワークインタフェース部を有し、任意のノードと音声データの通信を行うＶｏＩＰ端末であって、所定のデータ処理を経てＩＰネットワークより伝送された音声データを順次に蓄積すると共に伝送された音声データを音声として再生する音声再生部に送出する受信側バッファと、受信バッファから送出される音声データを検知する音声データ検知部と、音声データ検知部より指示され受信バッファに蓄積した音声データを複製する音声データ複製指示部とを有することとしたものであり、ＩＰネットワークから伝送されてきた音声データの受信バッファから送出される音声データについて音声データ検知部で欠落音声データを検知することにより、例えば欠落音声データの直前の音声データあるいは欠落音声データの２つもしくは３つ前の音声データを音声データ複製指示部において複製して欠落音声データを補間することができるので、音声データを途切れることなく音声再生部に送出することで音の途切れを防止することができ、通話中に会話が途切れたり、欠落したり、急激に著しく歪んだりするのを防止することができ、十分に実用的なＩＰネットワークを介する音声通話を行うことができるという作用・効果を有する。
【００３３】
上記課題を解決するためになされた第２の発明は、音声データ複製指示部は、受信バッファから送出される音声データが欠落したと音声データ検知部から指示された場合には、欠落した音声データの直前の音声データあるいは欠落した音声データの２つもしくは３つ前の音声データを複製して補間することとしたものであり、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００３４】
上記課題を解決するためになされた第３の発明は、音声データ複製指示部は、受信バッファから送出される音声データが欠落したと音声データ検知部から指示された場合には、欠落した音声データの直後の音声データあるいは欠落した音声データの２つもしくは３つ後の音声データを複製して補間することとしたものであり、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００３５】
上記課題を解決するためになされた第４の発明は、音声データ複製指示部は、受信バッファから送出される音声データが欠落したと音声データ検知部から指示された場合には、欠落した音声データの前後の音声データを平均化した音声データを複製して補間することとしたものであり、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００３６】
上記課題を解決するためになされた第５の発明は、音声データ複製指示部は、受信バッファから送出される音声データが欠落したと音声データ検知部から指示された場合には、欠落した音声データの前半については欠落した音声データの直前あるいは欠落した音声データの２つもしくは３つ前の音声データを複製し、欠落した音声データの後半については欠落した音声データの直後あるいは欠落した音声データの２つもしくは３つ後の音声データを複製して補間することとしたものであり、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００３７】
上記課題を解決するためになされた第６の発明は、音声データ検知部より指示されたときにホワイトノイズを発生させるホワイトノイズ制御部を備え、ホワイトノイズ制御部は、受信バッファから送出される音声データが欠落したと音声データ検知部から指示された場合には、ホワイトノイズを発生させて補間することとしたものであり、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００３８】
上記課題を解決するためになされた第７の発明は、音声データ検知部より指示されたときの通話中に周辺雑音を測定しデジタル変換して記録する周辺雑音測定部を備え、周辺雑音測定部は、受信バッファから送出される音声データが欠落したと音声データ検知部から指示された場合には、記録した周辺雑音を読み出して補間することとしたものであり、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００３９】
上記課題を解決するためになされた第８の発明は、伝送された音声データが受信バッファから溢れそうになったら音声データ検知部より指示されて受信バッファ内の音声データ量を調整する受信バッファ制御部を備え、受信バッファ制御部は、伝送された音声データを想定された受信バッファの処理能力を超えないように圧縮することとしたものであり、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００４０】
上記課題を解決するためになされた第９の発明は、受信バッファ制御部は、伝送された音声データが受信バッファで溢れそうになったことを音声データ検知部より指示された場合には、自分宛のデータとして分かるように自分宛用ヘッダ情報を付与して再度ＩＰネットワークに戻して一時的にＩＰネットワーク上で保存させ、音声データ検知部がＩＰネットワークインタフェース部内にある音声データにおいて自分宛用ヘッダ情報かを参照して、自分宛用と判定し、かつ受信バッファ内の音声データが溢れないと判定した場合、音声データ検知部が受信バッファ制御部を指示し、自分宛用ヘッダ情報を外して再度受信バッファに戻すこととしたものであり、音声データが受信バッファで溢れることにより欠落することを防止することができるので、通話中に会話が途切れたり、欠落したり、急激に著しく歪んだりするのを防止することができ、十分に実用的なＩＰネットワークを介する音声通話を行うことができるという作用・効果を有する。
【００４１】
上記課題を解決するためになされた第１０の発明は、受信バッファ制御部は、伝送された音声データが受信バッファで溢れそうになったことを音声データ検知部より指示された場合には受信バッファ内の伝送された音声データを一定間隔で抜き、抜いた音声データの直前の音声データあるいは抜いた音声データの２つもしくは３つ前の音声データを複製して補間することとしたものであり、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００４２】
上記課題を解決するためになされた第１１の発明は、受信バッファ制御部は、伝送された音声データが受信バッファで溢れそうになったことを音声データ検知部より指示された場合には受信バッファ内の伝送された音声データを一定間隔で抜き、抜いた音声データの
直後の音声データあるいは抜いた音声データの２つもしくは３つ後の音声データを複製して補間することとしたものであり、受信バッファの溢れ防止のために音声データを一定間隔で抜いた場合にも、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００４３】
上記課題を解決するためになされた第１２の発明は、受信バッファ制御部は、伝送された音声データが受信バッファで溢れそうになったことを音声データ検知部より指示された場合には受信バッファ内の伝送された音声データを一定間隔で抜き、抜いた音声データの前後の音声データで平均化した音声データを複製して補間することとしたものであり、受信バッファの溢れ防止のために音声データを一定間隔で抜いた場合にも、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００４４】
上記課題を解決するためになされた第１３の発明は、受信バッファ制御部は、伝送された音声データが受信バッファで溢れそうになったことを音声データ検知部より指示された場合には受信バッファ内の伝送された音声データを一定間隔で抜き、抜いた音声データの前半については抜いた音声データの直前あるいは抜いた音声データの２つもしくは３つ前の音声データを複製し、抜いた音声データの後半については抜いた音声データの直後あるいは抜いた音声データの２つもしくは３つ後の音声データを複製して補間することとしたものであり、受信バッファの溢れ防止のために音声データを一定間隔で抜いた場合にも、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００４５】
上記課題を解決するためになされた第１４の発明は、音声データ検知部より指示されたときにホワイトノイズを発生させるホワイトノイズ制御部を備え、受信バッファ制御部は、伝送された音声データが受信バッファで溢れそうになったことを音声データ検知部より指示された場合には受信バッファ内の伝送された音声データを一定間隔で抜き、抜いた音声データについてはホワイトノイズ制御部でホワイトノイズを発生させて補間することとしたものであり、受信バッファの溢れ防止のために音声データを一定間隔で抜いた場合にも、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００４６】
上記課題を解決するためになされた第１５の発明は、音声データ検知部より指示されたときの通話中に周辺雑音を測定しデジタル変換して記録する周辺雑音測定部を備え、受信バッファ制御部は、伝送された音声データが受信バッファで溢れそうになったことを音声データ検知部より指示された場合には受信バッファ内の伝送された音声データを一定間隔で抜き、抜いた音声データについては周辺雑音測定部から周辺雑音を読み出して補間することとしたものであり、受信バッファの溢れ防止のために音声データを一定間隔で抜いた場合にも、音声データを途切れることなく音声再生部に送出することができるので、通話中に会話が途切れたり、欠落したり、急激に著しく歪んだりするのを防止することができ、十分に実用的なＩＰネットワークを介する音声通話を行うことができるという作用・効果を有する。
【００４７】
上記課題を解決するためになされた第１６の発明は、受信バッファの出口に音声データの送出量を制御する音声データ送出部を備え、受信バッファ制御部は、伝送された音声データが足りないか又は伝送された音声データが溢れそうになったことを音声データ検知部より指示された場合には、受信バッファ内の音声データを調整するために、音声データ送出部で音声データの送出タイミングを調整することとしたものであり、受信バッファにおける溢れを音声データ送出部における音声データ送出タイミングで調整して防止することができるという作用・効果を有する。
【００４８】
上記課題を解決するためになされた第１７の発明は、絶対時間を計算する絶対時間管理部を備え、受信バッファ制御部は、伝送された音声データが足りないか又は伝送された音声データが溢れそうになったことを音声データ検知部より指示された場合には、受信バッファ内の音声データを調整するために、絶対時間管理部の絶対時間より伝送された音声データの音声データ送出部における送出タイミングを制御することとしたものであり、受信バッファにおける溢れを音声データ送出部における音声データ送出タイミングで調整して防止することができるという作用・効果を有する。
【００４９】
（実施の形態１）
図１は、本発明の実施の形態１によるＶｏＩＰ端末としての受信側音声伝送装置を示すブロック図である。
【００５０】
図１において、１はパケット化された音声データおよび画像データを送受信するＩＰ電話機等の音声伝送装置の受信側である受信側音声伝送装置、２はアナログ音声信号についてデータ量を少なくするために例えば規定時間内のサンプル数を決めてサンプリングしデジタル変換してパケット化し、さらに量子化した音声データ、３は受信側音声伝送装置１内にあり、十分な量の音声データ２を蓄積する受信バッファ、４は受信バッファ３内にあり、受信バッファ３内の音声データ２を送出する音声データ送出部、５は音声データ送出部４から送出された音声データ２を逆パケット化してデジタルからアナログ変換し音声として再生する音声再生部、６は例えばＰＢＸ（構内交換機）のような送信側音声伝送装置（図示せず）と受信側音声伝送装置１をつなぎ、パケット化された音声データ２を伝送するＩＰネットワークで物理的なケーブルやその途中に存在し、ハブなどの通信機器を含むルータ（図示せず）、７は受信側音声伝送装置１内にあり、ＩＰネットワーク６より送出される音声データ２の窓口となるＩＰネットワークＩ／Ｆ（インタフェース）部、８は音声データ送出部４から送出された音声データ２の有無を検知するために音声データ２に付与されたヘッダ情報（図示せず）を確認、かつ受信バッファ３内の音声データ２のデータ量を検知する音声データ検知部、９は音声データ２が欠落したことを検知した音声データ検知部８より指示されて音声データ２の複製を後述の記録部１０に指示する音声データ複製指示部、１０は受信バッファ３内にあり、受信バッファ３内の音声データ２を一時的に記録し、さらに音声データ複製指示部９の指示で欠落した音声データ２を受信バッファ３内に送出する記録部である。記録部１０は音声データ２を一時的に記録しておくもので、ある一定時間あるいはある記録量などの基準値を超えると音声データ２を消去するものである。図１では記録部１０は受信バッファ３内に設けているが、受信バッファ３外に１個あるいは複数設けてもよい。
【００５１】
このように構成されたＶｏＩＰ端末としての受信側音声伝送装置について、その動作を図２を用いて説明する。図２は、ＩＰネットワーク６から伝送されて来ず欠落した音声データ（欠落音声データ）１０２の前の音声データ１１２を使って音声補間する場合を示す説明図である。図２において、受信側音声伝送装置１、音声データ２、受信バッファ３、音声データ送出部４、音声再生部５、ＩＰネットワークインタフェース部７、音声データ検知部８、音声データ複製指示部９、記録部１０は図１と同様のものなので、同一符号を付し、説明は省略する。
【００５２】
音声データ検知部８は、音声データ２が欠落したことを検知（すなわち欠落音声データ１０２を検知）した後、欠落音声データ１０２を補間すべく、音声データ複製指示部９に指示する。この指示を受けた音声データ複製指示部９は、記録部１０に指示して、前に送出した音声データ１１２を記録部１０から送出する。前の音声データ１１２としては、受話側で聞いている人に突然音が変わると違和感があるため、欠落音声データ１０２の直前かその２つもしくは３つ前までの近傍のものが望ましい。基本的に欠落音声データ１０２の欠落は音声データ２がＩＰネットワーク６内で他の通信機器から送出される音声データによりトラフィック（ネットワーク上の混み具合）が変動し、トラフィック量が増大すると生じる。そのため、音声パケットが欠落した状態で受信側音声伝送装置１では受信できない欠落音声パケット１０２がある。なお、ＩＰネットワークＩ／Ｆ部７の近傍あるいは受信バッファ３の入り口に音声データ検知部８を設けてもよい。
【００５３】
以上のように本実施の形態１によれば、所定のデータ処理を経てＩＰネットワーク６より伝送された音声データを順次に蓄積すると共に伝送された音声データを音声として再生する音声再生部に送出する受信側バッファ３と、受信バッファ３から送出される音声データを検知する音声データ検知部８と、音声データ検知部８より指示され受信バッファ３に蓄積した音声データ２を複製する（正確には記録部１０から該当音声データを送出させる）音声データ複製指示部９とを有することにより、ＩＰネットワーク６から伝送されてきた音声データの受信バッファ３から送出される音声データ２について音声データ検知部８で欠落音声データを検知して、例えば欠落音声データ１０２の直前の音声データ２あるいは欠落音声データ１０２の２つもしくは３つ前の音声データ２を音声データ複製指示部９において複製して欠落音声データ１０２を補間することができるので、音声データ２を途切れることなく音声再生部５に送出することで音の途切れを防止することができ、通話中に会話が途切れたり、欠落したり、急激に著しく歪んだりするのを防止することができ、十分に実用的なＩＰネットワーク６を介する音声通話を行うことができる。
【００５４】
また、音声データ複製指示部９は、受信バッファ３から送出される音声データが欠落したと音声データ検知部８から指示された場合には、欠落した音声データの直前の音声データあるいは欠落した音声データの２つもしくは３つ前の音声データを複製して補間することとしたものであり、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【００５５】
（実施の形態２）
本発明の実施の形態２によるＶｏＩＰ端末としての受信側音声伝送装置の構成は実施の形態１と同様に図１の構成である。
【００５６】
このように構成された受信側音声伝送装置について、その動作を図３を用いて説明する。図３は、欠落音声データ１０２の後の音声データ１２２を使って音声補間する場合を示す説明図である。図３において、受信側音声伝送装置１、音声データ２、受信バッファ３、音声データ送出部４、音声再生部５、ＩＰネットワークインタフェース部７、音声データ検知部８、音声データ複製指示部９、記録部１０は図１と同様のものなので、同一符号を付し、説明は省略する。
【００５７】
実施の形態１の場合と同様に、音声データ検知部８は、音声データ２が欠落したことを検知した後、欠落音声データ１０２を補間すべく、音声データ複製指示部９に指示する。この指示を受けた音声データ複製指示部９は、記録部１０に指示して、後に送出する予定の音声データ１２２を記録部１０から送出する。後の音声データ１２２としては、受話側
で聞いている人に突然音が変わると違和感があるため、欠落音声データ１０２の直後かその２つもしくは３つ後までの近傍のものが望ましい。
【００５８】
以上のように本実施の形態２によれば、音声データ複製指示部９は、受信バッファ３から送出される音声データが欠落したと音声データ検知部８から指示された場合には、欠落した音声データの直後の音声データ２あるいは欠落した音声データ２の２つもしくは３つ後の音声データを複製して補間することにより、音声データ２を途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【００５９】
（実施の形態３）
本発明の実施の形態３によるＶｏＩＰ端末としての受信側音声伝送装置の構成は実施の形態１と同様に図１の構成である。
【００６０】
このように構成された受信側音声伝送装置について、その動作を図４を用いて説明する。図４は、欠落音声データ１０２の前後の音声データ１１２、１２２を使って音声補間する場合を要部を拡大して示す説明図である。図４において、受信側音声伝送装置１、音声データ２、受信バッファ３、音声データ送出部４、ＩＰネットワークインタフェース部７、音声データ検知部８、音声データ複製指示部９、記録部１０は図１と同様のものなので、同一符号を付し、説明は省略する。
【００６１】
実施の形態１、２と同様に、音声データ検知部８は、音声データ２が欠落したことを検知した後、欠落音声データ１０２を補間すべく、音声データ複製指示部９に指示する。この指示を受けた音声データ複製指示部９は記録部１０に指示する。ここで、記録部１０の一時保存された欠落音声データ１０２の直前の音声データ１１２もしくはその２、３前の音声データ１１２から１つ、欠落音声データ１０２の直後の音声データ１２２もしくはその２、３後の音声データ１２２から１つを記録部１０内で任意に選択し、その選択した音声データを平均した平均音声データ１３２を送出する。ここでは欠落音声データ１０２の直前の音声データ１１２もしくはその２、３前の音声データ１１２から１つ、欠落音声データ１０２の直後の音声データ１２２もしくはその２、３後の音声データ１２２から１つの計２つを平均したが、それぞれ複数を選択し、欠落音声データ１０２と同サイズ容量（ｋバイトなど）になるように平均すれば問題ない。欠落音声データ１０２の近傍の音声データを使用するのは、受話側で聞いている人に突然音が変わると違和感があることを防止するものである。
【００６２】
以上のように本実施の形態３によれば、音声データ複製指示部９は、受信バッファ３から送出される音声データが欠落したと音声データ検知部８から指示された場合には、欠落した音声データの前後の音声データを平均化した音声データを複製して補間することにより、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【００６３】
（実施の形態４）
本発明の実施の形態４によるＶｏＩＰ端末としての受信側音声伝送装置の構成は実施の形態１と同様に図１の構成である。
【００６４】
このように構成された受信側音声伝送装置について、その動作を図５を用いて説明する。図５は、欠落音声データ１０２の前後の音声データ１１２、１２２を半分ずつ使って音声補間する場合を要部を拡大して示す説明図である。図５において、受信側音声伝送装置
１、音声データ２、受信バッファ３、音声データ送出部４、ＩＰネットワークインタフェース部７、音声データ検知部８、音声データ複製指示部９、記録部１０は図１と同様のものなので、同一符号を付し、説明は省略する。
【００６５】
実施の形態１、２と同様に、同様に音声データ検知部８は、音声データ２が欠落したことを検知した後、欠落音声データ１０２を補間すべく、音声データ複製指示部９に指示する。この指示を受けた音声データ複製指示部９は記録部１０に指示する。ここで、記録部１０の一時保存された欠落音声データ１０２の直前の音声データ１１２もしくはその２、３前の音声データ１１２から１つ、欠落音声データ１０２の直後の音声データ１２２もしくはその２、３後の音声データ１２２から１つを記録部１０内で任意に選択し、さらに選択した音声データを半分にした音声データ、つまり前の１／２音声データ２１２と後の１／２音声データ２２２とを組み合わせた平均音声データ２３２を送出する。ここでは欠落音声データ１０２の直前の音声データ１１２もしくはその２、３前の音声データ１１２から１つ、欠落音声データ１０２の直後の音声データ１２２もしくはその２、３後の音声データ１２２から１つを選択し、それぞれの１／２ずつ組み合わせたが、１／２ずつに限定せず欠落音声データ１０２と同サイズ容量（ｋバイトなど）になるよう配分すれば問題ない。たとえば、欠落した音声データの前半については欠落した音声データの直前あるいは欠落した音声データの２つもしくは３つ前の音声データを複製し、欠落した音声データの後半については欠落した音声データの直後あるいは欠落した音声データの２つもしくは３つ後の音声データを複製するようにしてもよい。欠落音声データ１０２の近傍の音声データを使用するのは、受話側で聞いている人に突然音が変わると違和感があることを防止するものである。
【００６６】
以上のように本実施の形態４によれば、音声データ複製指示部９は、受信バッファ３から送出される音声データが欠落したと音声データ検知部８から指示された場合には、欠落した音声データの前半については欠落した音声データの直前あるいは欠落した音声データの２つもしくは３つ前の音声データを複製し、欠落した音声データの後半については欠落した音声データの直後あるいは欠落した音声データの２つもしくは３つ後の音声データを複製して補間することとしたものであり、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【００６７】
（実施の形態５）
本発明の実施の形態５によるＶｏＩＰ端末としての受信側音声伝送装置の構成は基本的には図１の構成である。
【００６８】
このように構成された受信側音声伝送装置について、その動作を図６を用いて説明する。図６は、ホワイトノイズを使って音声補間する場合を要部を拡大して示す説明図である。図６において、受信側音声伝送装置１、受信バッファ３、音声データ送出部４、ＩＰネットワークインタフェース部７、音声データ検知部８は図１と同様のものなので、同一符号を付し、説明は省略する。１１は音声データ検知部８の指示によりホワイトノイズ１２を発生させるホワイトノイズ制御部である。すなわち、本実施の形態による受信側音声伝送装置の構成は、図１の構成に、ホワイトノイズ制御部１１を追加したものである。
【００６９】
音声データ検知部８は、音声データ２が欠落したことを検知した後、欠落音声データ１０２を補間すべく、ホワイトノイズ制御部１１にホワイトノイズ１２を発生させるように指示する。ホワイトノイズ制御部１１は、ホワイトノイズ１２を欠落音声データ１０２の個所に送出する。通常のアナログ電話機を用いた場合でも受話側では背景雑音のような音を拾う。ホワイトノイズ１２は背景雑音に近い音であり、意図的に通常耳にするような音
を用いることで欠落音声データ１０２により、再生時の音切れを防止し、受話側で聞いている人に与える違和感を抑えるものである。
【００７０】
以上のように本実施の形態５によれば、音声データ検知部８より指示されたときにホワイトノイズ１２を発生させるホワイトノイズ制御部１１を備え、ホワイトノイズ制御部１１は、受信バッファ３から送出される音声データが欠落したと音声データ検知部８から指示された場合には、ホワイトノイズ制御部１１からホワイトノイズ１２を発生させて補間することにより、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【００７１】
（実施の形態６）
本発明の実施の形態６によるＶｏＩＰ端末としての受信側音声伝送装置の構成は基本的には図１の構成である。
【００７２】
このように構成された受信側音声伝送装置について、その動作を図７、図８を用いて説明する。図７はホワイトノイズ（背景ノイズ）を使って音声補間する場合を要部を拡大して示す説明図であり、図８はホワイトノイズの波形図である。図７において、受信側音声伝送装置１、受信バッファ３、音声データ送出部４、ＩＰネットワークインタフェース部７、音声データ検知部８、ホワイトノイズ制御部１１は図１と同様のものなので、同一符号を付し、説明は省略する。１３は周辺雑音を測定する周辺雑音測定部である。すなわち、本実施の形態６による受信側音声伝送装置の構成は、図１の構成に、ホワイトノイズ制御部１１と周辺雑音測定部１３を追加したものである。
【００７３】
音声データ検知部８は、音声データ２が欠落したことを検知した後、欠落音声データ１０２を補間すべく、周辺雑音測定部１３に指示する。主として通話中の周辺雑音（ホワイトノイズ５１２）を測定する周辺雑音測定部１３はホワイトノイズ５１２を測定し、図８に示すように、ホワイトノイズ５１２の頻繁に出るアナログ波形をサンプリングし、かつデジタル変換した後に記録していたものを、音声データ検知部８の指示でホワイトノイズ制御部１１に送出し、ホワイトノイズ６１２を欠落音声データ１０２の代わりに使用する。周辺雑音は通常耳にする音であり、意図的にこのような通常耳にする音を用いることで、欠落音声データ１０２による再生時の音切れを防止し、受話側で聞いている人に与える違和感を抑えるものである。
【００７４】
以上のように本実施の形態６によれば、音声データ検知部８より指示されたときの通話中に周辺雑音を測定しデジタル変換して記録する周辺雑音測定部１３を備え、周辺雑音測定部１３は、受信バッファ３から送出される音声データが欠落したと音声データ検知部８から指示された場合には、記録した周辺雑音を読み出して補間することにより、音声データを途切れることなく音声再生部５に送出することができるので、通話中に会話が途切れたり、欠落したり、急激に著しく歪んだりするのを防止することができ、十分に実用的なＩＰネットワークを介する音声通話を行うことができる。
【００７５】
（実施の形態７）
本発明の実施の形態７によるＶｏＩＰ端末としての受信側音声伝送装置の構成は基本的には図１の構成である。
【００７６】
このように構成された受信側音声伝送装置について、その動作を図９、図１０を用いて説明する。図９は受信バッファが音声データで溢れないように受信バッファ制御部で音声データを圧縮し制御する場合を示す説明図であり、図１０は図９の要部拡大図である。図９、図１０において、受信側音声伝送装置１、音声データ２、受信バッファ３、音声デー
タ送出部４、音声再生部５、ＩＰネットワークインタフェース部７、音声データ検知部８は図１と同様のものなので、同一符号を付し、説明は省略する。１４は受信バッファ３における空きスペース、１５は受信バッファ３が音声データで溢れないように音声データを圧縮し制御する受信バッファ制御部である。すなわち、本実施の形態７による受信側音声伝送装置の構成は、図１の構成に、受信バッファ制御部１５を追加したものである。
【００７７】
受信バッファ３の能力を超えて音声データ２が受信バッファ３から溢れそうになったら、音声データ検知部８より指示され受信バッファ３内の音声データ２の容量を調整する受信バッファ制御部１５は、音声データ２を想定された受信バッファ３の処理能力を超えないように音声データ２のＡ部を圧縮して圧縮音声データ１４２とし、受信バッファ３内に空きスペース１４を設けて、音声データ２の蓄積と記録を円滑にし、受信バッファ３から圧縮音声データ１４２を音声再生部５に送出し、音声再生部５は、圧縮したＡ部を復元した後、逆パケット化してデジタルからアナログ変換し音声として再生することで再生時の音切れ防止をする。溢れそうか否かの検知について説明すると、音声データ検知部８が受信バッファ３の音声データを検知し、受信バッファ３の能力を超えて音声データ２が受信バッファ３から溢れそうになったら、音声データ検知部８より指示される。
【００７８】
以上のように本実施の形態７によれば、伝送された音声データが受信バッファ３から溢れそうになったら音声データ検知部８より指示されて受信バッファ３内の音声データ量を調整する受信バッファ制御部１５を備え、受信バッファ制御部１５は、伝送された音声データを想定された受信バッファの処理能力を超えないように圧縮することにより、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【００７９】
（実施の形態８）
図１１は、本発明の実施の形態８によるＶｏＩＰ端末としての受信側音声伝送装置を示すブロック図である。
【００８０】
図１１において、受信側音声伝送装置１、音声データ２、受信バッファ３、音声再生部５、ＩＰネットワーク６、ＩＰネットワークインタフェース部７、音声データ検知部８、受信バッファ制御部１５は図１、図９と同様のものなので、同一符号を付し、説明は省略する。１６は音声データを一時的に保存するＩＰネットワーク保管部である。
【００８１】
このように構成された受信側音声伝送装置について、その動作を図１２を用いて説明する。図１２は音声データの構成を示すデータ図である。
【００８２】
受信バッファ３の能力を超えて音声データ２が受信バッファ３から溢れそうになったら、音声データ検知部８より指示され受信バッファ３内の音声データ２の容量を調整する受信バッファ制御部１５は、図１２のように、自分宛のデータとして分かるように自分宛用ヘッダ情報６２を音声データ２内にあるもともとの送信先としての受信側音声伝送装置１の宛先などを記載したヘッダ情報５２に付与し、再度ＩＰネットワーク６に戻して、一時的にＩＰネットワークサービスを行なっている会社が構築しているＩＰネットワーク６上のＩＰネットワーク保管部１６で一時保存し、音声データ検知部８がＩＰネットワークＩ／Ｆ部７内にある音声データ２において自分宛用ヘッダ情報かを参照して、自分宛用と判定し、かつ受信バッファ３内の音声データ２が溢れないと判定した場合、音声データ検知部８が受信バッファ制御部１５を指示し、自分宛用ヘッダ情報６２を外し、再度受信バッファ３に戻して、再生時の音切れ防止する。
【００８３】
以上のように本実施の形態８によれば、受信バッファ制御部１５は、伝送された音声デ
ータが受信バッファで溢れそうになったことを音声データ検知部８より指示された場合には、自分宛のデータとして分かるように自分宛用ヘッダ情報を付与して再度ＩＰネットワークに戻して一時的にＩＰネットワーク上で保存させ、音声データ検知部８がＩＰネットワークインタフェース部７内にある音声データ２において自分宛用ヘッダ情報かを参照して、自分宛用と判定し、かつ受信バッファ３内の音声データ２が溢れないと判定した場合、音声データ検知部８が受信バッファ制御部１５を指示し、自分宛用ヘッダ情報６２を外して再度受信バッファ３に戻すことにより、音声データが受信バッファ３で溢れることにより欠落することを防止することができるので、通話中に会話が途切れたり、欠落したり、急激に著しく歪んだりするのを防止することができ、十分に実用的なＩＰネットワーク６を介する音声通話を行うことができる。
【００８４】
（実施の形態９）
図１３は本発明の実施の形態９によるＶｏＩＰ端末としての受信側音声伝送装置を示すブロック図であり、図１４は図１３の要部拡大図である。
【００８５】
図１３、図１４において、受信側音声伝送装置１、音声データ２、受信バッファ３、音声再生部５、ＩＰネットワーク６、ＩＰネットワークインタフェース部７、音声データ検知部８、音声データ複製指示部９、記録部１０、受信バッファ制御部１５は図１、図９と同様のものなので、同一符号を付し、説明は省略する。
【００８６】
このように構成された受信側音声伝送装置について、その動作を説明する。
【００８７】
受信バッファ３の能力を超えて音声データ２が受信バッファ３から溢れそうになったら、音声データ検知部８より指示され受信バッファ３内の音声データ２の容量を調整する受信バッファ制御部１５は、受信バッファ３内の音声データ２を一定間隔で抜く。抜いた音声データは間引き音声データ１５２となる。このままでは再生時に音切れするので、間引き音声データ１５２を補間する必要がある。そこで、実施の形態１と同様に、間引き音声データ１５２を補間すべく、音声データ検知部８は音声データ複製指示部９に指示し、さらに音声データ複製指示部９は記録部１０に指示して、記録された前の音声データ１６２を記録部１０から送出する。前の音声データ１６２としては、受話側で聞いている人に突然音が変わると違和感があるため、間引き音声データ１５２の直前の音声データかもしくは２、３前までの近傍の音声データを使用する。また、受信バッファ制御部１５を用いて直接記録部１０を指示して前の音声データ１６２を送出してもよい。
【００８８】
以上のように本実施の形態９によれば、受信バッファ制御部１５は、伝送された音声データが受信バッファ３で溢れそうになったことを音声データ検知部８より指示された場合には受信バッファ３内の伝送された音声データを一定間隔で抜き、抜いた音声データの直前の音声データあるいは抜いた音声データの２つもしくは３つ前の音声データを複製して補間することにより、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【００８９】
（実施の形態１０）
図１５は、本発明の実施の形態１０によるＶｏＩＰ端末としての受信側音声伝送装置を示すブロック図であり、図９に示すところの受信バッファ３が音声データで溢れないように受信バッファ制御部１５にて制御する場合を示す。
【００９０】
図１５において、音声データ２、受信バッファ３、音声再生部５、音声データ検知部８、音声データ複製指示部９、記録部１０、受信バッファ制御部１５は図１、図９と同様の
ものなので、同一符号を付し、説明は省略する。
【００９１】
このように構成された受信側音声伝送装置について、その動作を説明する。
【００９２】
受信バッファ３の能力を超えて音声データ２が受信バッファ３から溢れそうになったら、音声データ検知部８より指示され受信バッファ３内の音声データ２の容量を調整する受信バッファ制御部１５は、受信バッファ３内の音声データ２を一定間隔で抜く。抜いた音声データは間引き音声データ１５２となる。このままでは再生時に音切れするので、間引き音声データ１５２を補間する必要がある。そこで、実施の形態２と同様に、間引き音声データ１５２を補間すべく、音声データ検知部８は音声データ複製指示部９に指示し、さらに音声データ複製指示部９は記録部１０に指示して、後に送出した音声データ１７２を記録部１０から送出する。後の音声データ１７２としては、受話側で聞いている人に突然音が変わると違和感があるため、間引き音声データ１５２の直後かもしくはその２、３後までの近傍のものを使用する。また、受信バッファ制御部１５を用いて直接に記録部１０を指示して後の音声データ１７２を送出してもよい。
【００９３】
以上のように本実施の形態１０によれば、受信バッファ制御部１５は、伝送された音声データが受信バッファで溢れそうになったことを音声データ検知部８より指示された場合には受信バッファ３内の伝送された音声データを一定間隔で抜き、抜いた音声データの直後の音声データあるいは抜いた音声データの２つもしくは３つ後の音声データを複製して補間することにより、受信バッファ３の溢れ防止のために音声データを一定間隔で抜いた場合にも、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【００９４】
（実施の形態１１）
図１６は、本発明の実施の形態１１によるＶｏＩＰ端末としての受信側音声伝送装置を示すブロック図であり、図９に示すところの受信バッファ３が音声データで溢れないように受信バッファ制御部１５にて制御する場合を示す。
【００９５】
図１６において、受信側音声伝送装置１、音声データ２、受信バッファ３、音声データ送出部４、音声再生部５、ＩＰネットワークインタフェース部７、音声データ検知部８、音声データ複製指示部９、記録部１０、受信バッファ制御部１５は図１、図９と同様のものなので、同一符号を付し、説明は省略する。
【００９６】
このように構成された受信側音声伝送装置について、その動作を説明する。
【００９７】
受信バッファ３の能力を超えて音声データ２が受信バッファ３から溢れそうになったら、音声データ検知部８より指示され受信バッファ３内の音声データ２の容量を調整する受信バッファ制御部１５は、受信バッファ３内の音声データ２を一定間隔で抜く。抜いた音声データは間引き音声データ１５２となる。このままでは再生時に音切れするので、間引き音声データ１５２を補間する必要がある。そこで、実施の形態３と同様に、間引き音声データ１５２を補間すべく音声データ複製指示部９に指示し、さらに音声データ複製指示部９が記録部１０に指示する。ここで、記録部１０の一時保存された間引き音声データ１５２の直前もしくはその２、３前の音声データ１６２から１つ、間引き音声データ１５２の直後もしくはその２、３後の音声データ１７２から１つを記録部１０内で任意に選択し、平均した平均音声データ２４２を送出する。ここでは、間引き音声データ１５２の直前もしくはその２、３前の音声データ１６２から１つ、間引き音声データ１５２の直後もしくはその２、３後の音声データ１７２から１つの計２つを平均したが、それぞれ複数を選択し、間引き音声データ１５２と同サイズ容量（ｋバイトなど）になるよう平均すれば問
題ない。間引き音声データ１５２の近傍の音声データを使用するのは、受話側で聞いている人に突然音が変わると違和感があることを防止するものである。
【００９８】
以上のように本実施の形態１１によれば、受信バッファ制御部１５は、伝送された音声データが受信バッファ３で溢れそうになったことを音声データ検知部８より指示された場合には受信バッファ３内の伝送された音声データを一定間隔で抜き、抜いた音声データの前後の音声データで平均化した音声データを複製して補間することにより、受信バッファ３の溢れ防止のために音声データを一定間隔で抜いた場合にも、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【００９９】
（実施の形態１２）
図１７は、本発明の実施の形態１２によるＶｏＩＰ端末としての受信側音声伝送装置を示すブロック図であり、図９に示すところの受信バッファ３が音声データで溢れないように受信バッファ制御部１５にて制御する場合を示す。
【０１００】
図１７において、受信側音声伝送装置１、音声データ２、受信バッファ３、音声データ送出部４、ＩＰネットワークインタフェース部７、音声データ検知部８、音声データ複製指示部９、記録部１０、受信バッファ制御部１５は図１、図９と同様のものなので、同一符号を付し、説明は省略する。
【０１０１】
このように構成された受信側音声伝送装置について、その動作を説明する。
【０１０２】
受信バッファ３の能力を超えて音声データ２が受信バッファ３から溢れそうになったら、音声データ検知部８より指示され受信バッファ３内の音声データ２の容量を調整する受信バッファ制御部１５は、受信バッファ３内の音声データ２を一定間隔で抜く。抜いた音声データは間引き音声データ１５２となる。このままでは再生時に音切れするので、間引き音声データ１５２を補間する必要がある。そこで、実施の形態４と同様に、音声データ複製指示部９に指示し、さらに音声データ複製指示部９が記録部１０に指示する。ここで、記録部１０の一時保存された間引き音声データ１５２の直前もしくはその２、３前の音声データ１６２から１つ、間引き音声データ１５２の直後もしくはその２、３後の音声データ１７２から１つを記録部１０内で任意に選択し、さらに選択した音声データを半分にした音声データ、つまり前の１／２音声データ２５２と後の１／２音声データ２６２とを組み合わせた平均音声データ２７２を送出する。ここでは、間引き音声データ１５２の直前もしくはその２、３前の音声データ１６２から１つ、間引き音声データ１５２の直後もしくはその２、３後の音声データ１７２から１つを選択し、それぞれの１／２ずつを組み合わせたが、１／２ずつに限定せず、間引き音声データ１５２と同サイズ容量（ｋバイトなど）になるよう配分すれば問題ない。たとえば、抜いた音声データ１５２の前半については抜いた音声データの直前あるいは抜いた音声データの２つもしくは３つ前の音声データを複製し、抜いた間引き音声データ１５２の後半については抜いた音声データの直後あるいは抜いた音声データの２つもしくは３つ後の音声データを複製して補間する。間引き音声データ１５２の近傍の音声データを使用するのは、受話側で聞いている人に突然音が変わると違和感があることを防止するものである。
【０１０３】
以上のように本実施の形態１２によれば、受信バッファ制御部１５は、伝送された音声データが受信バッファ３で溢れそうになったことを音声データ検知部８より指示された場合には受信バッファ３内の伝送された音声データを一定間隔で抜き、抜いた音声データの前半については抜いた音声データの直前あるいは抜いた音声データの２つもしくは３つ前の音声データを複製し、抜いた音声データの後半については抜いた音声データの直後ある
いは抜いた音声データの２つもしくは３つ後の音声データを複製して補間することにより、受信バッファ３の溢れ防止のために音声データを一定間隔で抜いた場合にも、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【０１０４】
（実施の形態１３）
図１８は、本発明の実施の形態１３によるＶｏＩＰ端末としての受信側音声伝送装置を示すブロック図であり、図９に示すところの受信バッファ３が音声データで溢れないように受信バッファ制御部１５にて制御する場合を示す。
【０１０５】
図１８において、受信側音声伝送装置１、音声データ２、受信バッファ３、音声データ送出部４、ＩＰネットワークインタフェース部７、音声データ検知部８、記録部１０、ホワイトノイズ制御部１１、受信バッファ制御部１５は図１、図６、図９と同様のものなので、同一符号を付し、説明は省略する。
【０１０６】
このように構成された受信側音声伝送装置について、その動作を説明する。
【０１０７】
受信バッファ３の能力を超えて音声データ２が受信バッファ３から溢れそうになったら、音声データ検知部８より指示され受信バッファ３内の音声データ２の容量を調整する受信バッファ制御部１５は、受信バッファ３内の音声データ２を一定間隔で抜く。抜いた音声データは間引き音声データ１５２となる。このままでは再生時に音切れするので間引き音声データ１５２を補間する必要がある。そこで、実施の形態５と同様、音声データ検知部８は、ホワイトノイズ制御部１１にホワイトノイズ１２を発生させるよう指示する。さらにホワイトノイズ制御部１１は、ホワイトノイズ５１２を間引き音声データ１５２の個所に送出する。通常のアナログ電話機を用いた場合でも受話側では背景雑音のような音を拾う。この背景雑音は通常耳にするような音である。意図的に通常耳にするような音を用いることで間引き音声データ１５２により、再生時の音切れを防止し、受話側で聞いている人に与える違和感を抑える。
【０１０８】
以上のように本実施の形態１３によれば、音声データ検知部８より指示されたときにホワイトノイズを発生させるホワイトノイズ制御部１１を備え、受信バッファ制御部１５は、伝送された音声データが受信バッファで溢れそうになったことを音声データ検知部８より指示された場合には受信バッファ３内の伝送された音声データを一定間隔で抜き、抜いた音声データについてはホワイトノイズ制御部１１でホワイトノイズを発生させて補間することにより、受信バッファ３の溢れ防止のために音声データを一定間隔で抜いた場合にも、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【０１０９】
（実施の形態１４）
図１９は、本発明の実施の形態１４によるＶｏＩＰ端末としての受信側音声伝送装置を示すブロック図であり、図９に示すところの受信バッファ３が音声データで溢れないように受信バッファ制御部１５にて制御する場合を示す。
【０１１０】
図１９において、受信側音声伝送装置１、音声データ２、受信バッファ３、音声データ送出部４、ＩＰネットワークインタフェース部７、音声データ検知部８、記録部１０、ホワイトノイズ制御部１１、周辺雑音測定部１３、受信バッファ制御部１５は図１、図６、図７、図９と同様のものなので、同一符号を付し、説明は省略する。
【０１１１】
このように構成された受信側音声伝送装置について、その動作を説明する。
【０１１２】
受信バッファ３の能力を超えて音声データ２が受信バッファ３から溢れそうになったら、音声データ検知部８より指示され受信バッファ３内の音声データ２の容量を調整する受信バッファ制御部１５は、受信バッファ３内の音声データ２を一定間隔で抜く。抜いた音声データは間引き音声データ１５２となる。このままでは再生時に音切れするので、間引き音声データ１５２を補間する必要がある。そこで、実施の形態６と同様、音声データ検知部８は、間引き音声データ１５２を補間すべく、主として通話中の周辺周雑音（ホワイトノイズ５１２）を測定するマイクのような周辺雑音測定部１３でホワイトノイズ５１２を測定させる。周辺雑音測定部１３は、図８に示すように、ホワイトノイズ５１２の頻繁に出るアナログ波形をサンプリングし、かつデジタル変換した後に記録していたものをホワイトノイズ制御部１１に送出し、ホワイトノイズ６１２を間引き音声データ１５２の代わりに使用する。ホワイトノイズは通常耳にする音であり、意図的に通常耳にする音を用いることで、間引き音声データ１５２による再生時の音切れを防止し、受話側で聞いている人に与える違和感を抑える。
【０１１３】
以上のように本実施の形態１４によれば、音声データ検知部８より指示されたときの通話中に周辺雑音を測定しデジタル変換して記録する周辺雑音測定部１３を備え、受信バッファ制御部１５は、伝送された音声データが受信バッファ３で溢れそうになったことを音声データ検知部８より指示された場合には受信バッファ３内の伝送された音声データを一定間隔で抜き、抜いた音声データについては周辺雑音測定部１３から周辺雑音を読み出して補間することにより、受信バッファ３の溢れ防止のために音声データを一定間隔で抜いた場合にも、音声データを途切れることなく音声再生部５に送出することができるので、通話中に会話が途切れたり、欠落したり、急激に著しく歪んだりするのを防止することができ、十分に実用的なＩＰネットワーク６を介する音声通話を行うことができる。
【０１１４】
（実施の形態１５）
図２０は、本発明の実施の形態１５によるＶｏＩＰ端末としての受信側音声伝送装置を示すブロック図であり、図１または図９に示すところの受信バッファ３が音声データの過不足を受信バッファ制御部１５にて制御する場合を示す。
【０１１５】
図２０において、受信側音声伝送装置１、音声データ２、受信バッファ３、音声データ送出部４、音声再生部５、ＩＰネットワーク６、ＩＰネットワークインタフェース部７、音声データ検知部８、受信バッファ制御部１５は図１、図９と同様のものなので、同一符号を付し、説明は省略する。
【０１１６】
このように構成された受信側音声伝送装置について、その動作を説明する。
【０１１７】
音声データ２が欠落し不足するか、あるいは受信バッファ３の能力を超えて音声データ２が受信バッファ３から溢れそうになったら、音声データ検知部８より指示される受信バッファ制御部１５にて受信バッファ３内の音声データ２を調整するために、受信バッファ３の出口の音声データ送出部４で音声データ２の送出タイミングを調整することにより送出量を調整することで、再生時に音切れ防止し、受話側で聞いている人に与える違和感を抑えるものである。
【０１１８】
以上のように本実施の形態１５によれば、受信バッファ３の出口に音声データの送出量を制御する音声データ送出部４を備え、受信バッファ制御部１５は、伝送された音声データが足りないか又は伝送された音声データが溢れそうになったことを音声データ検知部８より指示された場合には、受信バッファ３内の音声データを調整するために、音声データ送出部４で音声データの送出タイミングを調整することにより、受信バッファ３における
溢れを音声データ送出部４における音声データ送出タイミングで調整して防止することができる。
【０１１９】
（実施の形態１６）
図２１は、本発明の実施の形態１６によるＶｏＩＰ端末としての受信側音声伝送装置を示すブロック図であり、図１または図９に示すところの受信バッファ３が音声データの過不足を受信バッファ制御部１５にて制御する場合を示す。
【０１２０】
図２１において、受信側音声伝送装置１、音声データ２、受信バッファ３、音声データ送出部４、音声再生部５、ＩＰネットワーク６、ＩＰネットワークインタフェース部７、音声データ検知部８、受信バッファ制御部１５は図１、図９と同様のものなので、同一符号を付し、説明は省略する。
【０１２１】
このように構成された受信側音声伝送装置について、その動作を説明する。
【０１２２】
音声データ２が欠落し不足するか、あるいは受信バッファ３の能力を超えて音声データ２が受信バッファ３から溢れそうになったら、音声データ検知部８より指示される受信バッファ制御部１５にて受信バッファ３内の音声データ２を調整するために、受信バッファ３内の電波時計あるいはＧＰＳのような絶対時間管理部１７で計算された絶対時間より、受信バッファ３の出口の音声データ送出部４での音声データ２の送出タイミングを制御することで、再生時の音切れ防止し、受話側で聞いている人に与える違和感を抑える。
【０１２３】
以上のように本実施の形態１６によれば、絶対時間を計算する絶対時間管理部１７を備え、受信バッファ制御部１５は、伝送された音声データが足りないか又は伝送された音声データが溢れそうになったことを音声データ検知部８より指示された場合には、受信バッファ３内の音声データを調整するために、絶対時間管理部１７の絶対時間より、伝送された音声データの音声データ送出部４における送出タイミングを制御することにより、受信バッファ３における溢れを音声データ送出部４における音声データ送出タイミングで調整して防止することができる。
【産業上の利用可能性】
【０１２４】
本発明は、複数のノードが接続されたＩＰネットワークに接続され、ＩＰネットワークインタフェース部を有し、任意のノードと音声データの通信を行うＶｏＩＰ端末に関し、通話中に会話が途切れたり、欠落したり、急激に著しく歪んだりするのを防止することができ、十分に実用的なＩＰネットワークを介する音声通話を行うことができる。
【図面の簡単な説明】
【０１２５】
【図１】本発明の実施の形態１によるＶｏＩＰ端末としての受信側音声伝送装置を示すブロック図
【図２】ＩＰネットワークから伝送されて来ず欠落した音声データ（欠落音声データ）の前の音声データを使って音声補間する場合を示す説明図
【図３】欠落音声データの後の音声データを使って音声補間する場合を示す説明図
【図４】欠落音声データの前後の音声データを使って音声補間する場合を要部を拡大して示す説明図
【図５】欠落音声データの前後の音声データを半分ずつ使って音声補間する場合を要部を拡大して示す説明図
【図６】ホワイトノイズを使って音声補間する場合を要部を拡大して示す説明図
【図７】ホワイトノイズ（背景ノイズ）を使って音声補間する場合を要部を拡大して示す説明図
【図８】ホワイトノイズの波形図
【図９】受信バッファが音声データで溢れないように受信バッファ制御部で音声データを圧縮し制御する場合を示す説明図
【図１０】図９の要部拡大図
【図１１】本発明の実施の形態８によるＶｏＩＰ端末としての受信側音声伝送装置を示すブロック図
【図１２】音声データの構成を示すデータ図
【図１３】本発明の実施の形態９によるＶｏＩＰ端末としての受信側音声伝送装置を示すブロック図
【図１４】図１３の要部拡大図
【図１５】本発明の実施の形態１０によるＶｏＩＰ端末としての受信側音声伝送装置を示すブロック図
【図１６】本発明の実施の形態１１によるＶｏＩＰ端末としての受信側音声伝送装置を示すブロック図
【図１７】本発明の実施の形態１２によるＶｏＩＰ端末としての受信側音声伝送装置を示すブロック図
【図１８】本発明の実施の形態１３によるＶｏＩＰ端末としての受信側音声伝送装置を示すブロック図
【図１９】本発明の実施の形態１４によるＶｏＩＰ端末としての受信側音声伝送装置を示すブロック図
【図２０】本発明の実施の形態１５によるＶｏＩＰ端末としての受信側音声伝送装置を示すブロック図
【図２１】本発明の実施の形態１６によるＶｏＩＰ端末としての受信側音声伝送装置を示すブロック図
【図２２】従来のＩＰネットワークを示す構成図
【符号の説明】
【０１２６】
１    受信側音声伝送装置
２    音声データ
３    受信バッファ
４    音声データ送出部
５    音声再生部
６    ＩＰネットワーク
７    ＩＰネットワークＩ／Ｆ部（ＩＰネットワークインタフェース部）
８    音声データ検知部
９    音声データ複製指示部
１０    記録部
１１    ホワイトノイズ制御部
１２    ホワイトノイズ
１３    周辺雑音測定部
１４    空きスペース
１５    受信バッファ制御部
１６    ＩＰネットワーク保管部
１７    絶対時間管理部
【図１】
2005151104.tif 000003
【図２】
2005151104.tif 000004
【図３】
2005151104.tif 000005
【図４】
2005151104.tif 000006
【図５】
2005151104.tif 000007
【図６】
2005151104.tif 000008
【図７】
2005151104.tif 000009
【図８】
2005151104.tif 000010
【図９】
2005151104.tif 000011
【図１０】
2005151104.tif 000012
【図１１】
2005151104.tif 000013
【図１２】
2005151104.tif 000014
【図１３】
2005151104.tif 000015
【図１４】
2005151104.tif 000016
【図１５】
2005151104.tif 000017
【図１６】
2005151104.tif 000018
【図１７】
2005151104.tif 000019
【図１８】
2005151104.tif 000020
【図１９】
2005151104.tif 000021
【図２０】
2005151104.tif 000022
【図２１】
2005151104.tif 000023
【図２２】
2005151104.tif 000024